【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
複数種類の識別情報を変動表示させ、有利状態に制御可能な遊技機であって、
識別情報の変動表示の態様を選択する変動態様選択手段と、
前記変動態様選択手段により選択された変動表示の態様に従って識別情報を変動表示させ、表示結果を導出させる変動表示演出を含む演出の実行を制御する演出制御手段とを備え、
前記演出制御手段は、
変動表示の態様として再変動態様が選択されたときに、識別情報の変動表示が開始されてから表示結果が導出されるまでに一旦仮停止させた後に全ての識別情報を再度変動表示させる再変動表示を所定回実行する再変動表示実行手段と、
変動表示の態様として前記再変動態様が選択されたときに、仮停止よりも前に、該仮停止の後に識別情報が再度変動表示される可能性を予告する再変動情報を遊技者に報知する仮停止前再変動情報報知手段と、
前記仮停止前再変動情報報知手段による前記再変動情報の報知を、複数種類のうちから選択するとともに、前記仮停止前再変動情報報知手段により前記再変動情報を報知するタイミングを、所定の第１タイミングと該第１タイミングよりも遅く仮停止よりも早い第２タイミングとのうちから選択する報知選択手段とを備え、
前記変動態様選択手段は、第１再変動態様と、所定の状態となる第２再変動態様とのうちから何れかの再変動態様を選択し、
前記再変動態様には、最後に仮停止させた後に表示結果が導出されるまでの表示態様としてリーチ演出が実行される複数種類のリーチ変動態様が含まれ、
前記再変動表示の回数により、いずれの前記リーチ演出が実行されるかの割合が異なり、
前記報知選択手段は、前記変動態様選択手段により前記第１再変動態様が選択されたときと前記第２再変動態様が選択されたときとで異なる割合により、前記再変動情報の報知を前記複数種類のうちから選択するとともに、前記変動態様選択手段により選択された変動表示の態様に応じて異なる割合により、前記第１タイミングと前記第２タイミングのうちから前記再変動情報を報知するタイミングを選択する
ことを特徴とする遊技機。
【請求項２】
前記演出制御手段は、
前記有利状態となる可能性があることを報知する予告演出である予め定められた系統に従って１段階から複数段階まで演出が段階的に変化するステップアップ演出の演出態様を、前記有利状態となる場合に前記有利状態とならない場合よりも高い割合で予め定められた段階まで演出が変化するように決定するステップアップ演出決定手段と、
前記ステップアップ演出決定手段の決定結果に基づいて、前記識別情報の変動表示の開始から初回の仮停止までの期間、及び１回に実行される再変動表示の期間または複数回実行される再変動表示の各々の期間に、前記ステップアップ演出を実行するステップアップ演出実行手段とをさらに備え、
前記ステップアップ演出決定手段は、前記変動態様選択手段により前記変動表示の回数が特定回よりも多い再変動態様を選択したときにのみ、特定回目の再変動表示の期間において実行されるステップアップ演出として前記複数段階以外の所定数段階未満のステップアップ演出の演出態様を決定する
ことを特徴とする請求項１に記載の遊技機。
【手続補正２】
【補正対象書類名】明細書
【補正対象項目名】０００１
【補正方法】変更
【補正の内容】
【０００１】
本発明は、パチンコ遊技機、スロットマシン等の遊技機に関し、特に複数種類の識別情報を変動表示させ、遊技者にとって有利な有利状態に制御可能な遊技機に関する。
【手続補正３】
【補正対象書類名】明細書
【補正対象項目名】００１０
【補正方法】変更
【補正の内容】
【００１０】
上記目的を達成するため、本発明の第１の観点にかかる遊技機は、
複数種類の識別情報（飾り図柄）を変動表示させ、有利状態に制御可能な遊技機（パチンコ遊技機１）であって、
識別情報の変動表示の態様（変動パターン）を選択する変動態様選択手段（ＣＰＵ５６（図４））と、
前記変動態様選択手段により選択された変動表示の態様に従って識別情報を変動表示させ、表示結果を導出させる変動表示演出を含む演出の実行を制御する演出制御手段（表示制御基板８０の表示制御用ＣＰＵ）とを備え、
前記演出制御手段は、
変動表示の態様として再変動態様（疑似連１回／２回／３回／４回）が選択されたときに、識別情報の変動表示が開始されてから表示結果が導出されるまでに一旦仮停止させた後に全ての識別情報を再度変動表示させる再変動表示を所定回実行する再変動表示実行手段（表示制御基板８０の表示制御用ＣＰＵ）と、
変動表示の態様として前記再変動態様が選択されたときに、仮停止よりも前に、該仮停止の後に識別情報が再度変動表示される可能性を予告する再変動情報（先疑似予告）を遊技者に報知する仮停止前再変動情報報知手段（表示制御基板８０の表示制御用ＣＰＵ（図５（ａ）、（ｂ）））と、
前記仮停止前再変動情報報知手段による前記再変動情報の報知を、複数種類のうちから選択するとともに、前記仮停止前再変動情報報知手段により前記再変動情報を報知するタイミングを、所定の第１タイミングと該第１タイミングよりも遅く仮停止よりも早い第２タイミングとのうちから選択する報知選択手段（表示制御基板８０の表示制御用ＣＰＵ（図５（ｂ）））とを備え、
前記変動態様選択手段は、第１再変動態様（ハズレ−リーチなしの種別で選択される疑似連１回／２回／３回の変動パターン）と、所定の状態となる第２再変動態様（ハズレ−リーチあり、確変大当たり、確変昇格大当たり、または時短大当たりの種別で選択される疑似連１回／２回／３回／４回の変動パターン）とのうちから何れかの再変動態様を選択し、
前記再変動態様には、最後に仮停止させた後に表示結果が導出されるまでの表示態様としてリーチ演出が実行される複数種類のリーチ変動態様（ノーマル、スーパーＡ、スーパーＢ）が含まれ、
前記再変動表示の回数（疑似連の回数）により、いずれの前記リーチ演出が実行されるかの割合が異なり（図４）、
前記報知選択手段は、前記変動態様選択手段により前記第１再変動態様が選択されたときと前記第２再変動態様が選択されたときとで異なる割合により、前記再変動情報の報知を前記複数種類のうちから選択するとともに、前記変動態様選択手段により選択された変動表示の態様に応じて異なる割合により、前記第１タイミングと前記第２タイミングのうちから前記再変動情報を報知するタイミングを選択する（図４、図５（ａ））
ことを特徴とする。
【手続補正４】
【補正対象書類名】明細書
【補正対象項目名】００１１
【補正方法】変更
【補正の内容】
【００１１】
上記目的を達成するため、本発明の第２の観点にかかる遊技機は、
第１の観点にかかる遊技機において、
前記演出制御手段は、
前記有利状態となる可能性があることを報知する予告演出である予め定められた系統に従って１段階から複数段階まで演出が段階的に変化するステップアップ演出（ステップアップ演出）の演出態様を、前記有利状態となる場合に前記有利状態とならない場合よりも高い割合で予め定められた段階まで演出が変化するように決定するステップアップ演出決定手段（表示制御基板８０の表示制御用ＣＰＵ（図６））と、
前記ステップアップ演出決定手段の決定結果に基づいて、前記識別情報の変動表示の開始から初回の仮停止までの期間、及び１回に実行される再変動表示の期間または複数回実行される再変動表示の各々の期間に、前記ステップアップ演出を実行するステップアップ演出実行手段（表示制御基板８０の表示制御用ＣＰＵ（図６））とをさらに備え、
前記ステップアップ演出決定手段は、前記変動態様選択手段により前記変動表示の回数がＬ回よりも多い再変動態様を選択したときにのみ、Ｌ回目の再変動表示の期間において実行されるステップアップ演出として前記複数段階以外の所定数段階未満のステップアップ演出の演出態様を決定（ステップアップ１は、疑似連１の１回目、疑似連２の１〜２回目、疑似連３の１〜３回目、疑似連４の１〜４回目でのみ選択（図６））する
ことを特徴とする。
【手続補正５】
【補正対象書類名】明細書
【補正対象項目名】００１４
【補正方法】変更
【補正の内容】
【００１４】
ここで、再変動態様には、第１再変動態様（ハズレ−リーチなしの種別で選択される疑似連１回／２回／３回の変動パターン）と、所定の状態となる第２再変動態様（ハズレ−リーチあり、確変大当たり、確変昇格大当たり、または時短大当たりの種別で選択される疑似連１回／２回／３回／４回の変動パターン）とが含まれているが、第１再変動態様が選択されたときと第２再変動態様が選択されたときとで異なる割合により、前記再変動情報の報知を前記複数種類のうちから選択するとともに、前記変動態様選択手段により選択された変動表示の態様に応じて異なる割合により、前記第１タイミングと前記第２タイミングのうちから前記再変動情報を報知するタイミングが選択される。このため、再変動情報の報知の種類の違いによって、所定の状態となる再変動表示が行われること（＝抽選に当選していることの可能性が高くなること）を期待できるようになる。
【手続補正６】
【補正対象書類名】明細書
【補正対象項目名】００１８
【補正方法】変更
【補正の内容】
【００１８】
上記第２の観点にかかる遊技機では、有利状態となる可能性があることを報知する予告演出である予め定められた系統に従って１段階から複数段階まで演出が段階的に変化するステップアップ演出を実行するステップアップ演出実行手段とをさらに備えている。
【手続補正７】
【補正対象書類名】明細書
【補正対象項目名】００２０
【補正方法】削除
【補正の内容】
【手続補正８】
【補正対象書類名】明細書
【補正対象項目名】００２９
【補正方法】削除
【補正の内容】